(57)【特許請求の範囲】
【請求項１】
遊技盤の前面に入球手段と、
球案内通路からの遊技球を前記入球手段に入球し易い第１落下部と入球し難い左右の第２落下部とに振り分けて前記遊技盤の前側に落下させるステージと、を備えた弾球遊技機において、
前記ステージは外周に前記球案内通路からの遊技球が衝突する衝突部を有し且つ横軸廻りに前上がり又は後上がりに回転して衝突後の遊技球を前記第１落下部と前記第２落下部との何れかに振り分ける回転体を備え、
前記衝突部は周方向に溝状に形成され且つ衝突後の遊技球を前記第１落下部へと案内し易い第１衝突部と、周方向に突状に形成され且つ衝突後の遊技球を前記第２落下部へと案内し易い第２衝突部とを外周に周方向に備えた
ことを特徴する弾球遊技機。
【請求項２】
前記第１衝突部と前記第１落下部とを前後方向に備え、
前記第１落下部の左右両側に前記第２落下部を備え、
前記回転体は遊技球を前記第１落下部へと前後方向に案内し易い第１衝突部と前記第２落下部へと左右方向に案内し易い第２衝突部とを外周に有する
ことを特徴とする請求項１に記載の弾球遊技機。
【請求項３】
前記第１衝突部は凹部と該凹部の左右両側の突条とを有し、
前記第２衝突部は左右略中央に突条を有する
ことを特徴とする請求項２に記載の弾球遊技機。
【請求項４】
前記第１衝突部及び前記第２衝突部の左右両側に、遊技球を前記第２落下部へと案内する案内部を備えた
ことを特徴とする請求項２又は３に記載の弾球遊技機。
【請求項５】
前記第１落下部は前記回転体の前側の転動部上に配置された上落下部と、前記転動部の下側に配置された下落下部とを有し、
前記第１衝突部の後側に球入口を有し且つ該球入口からの遊技球を前記下落下部へと案内する通路を備えた
ことを特徴とする請求項２〜４の何れかに記載の弾球遊技機。
【請求項６】
遊技球を左右に転動させながら左右に振り分ける第１転動部と第２転動部と第３転動部とを奥から前へと前後方向の階段状に備え、
前記第１転動部に前記球案内通路からの遊技球を前記回転体の前記衝突部上に落下させる第３落下部を、前記第２転動部に前記回転体を、前記第３転動部に前記第１落下部及び前記第２落下部を夫々備えた
ことを特徴とする請求項２〜５の何れかに記載の弾球遊技機。
【請求項７】
前記第２転動部の横長状の開口部内に、少なくとも回転時に前記第１衝突部及び第２衝突部が前記開口部上に順次突出し且つ前記第２転動部上に遊技球が滞留しないように横長状の前記回転体を配置し、
該回転体を駆動する駆動手段を前記第１転動部の下側に設けた
ことを特徴とする請求項６に記載の弾球遊技機。
【請求項８】
前記回転体は回転方向に二分割され且つ着脱自在に結合された一対の分割体を備え、
一方の該分割体に前記第１衝突部を、他方の該分割体に第２衝突部を夫々備えた
ことを特徴とする請求項１〜７の何れかに記載の弾球遊技機。
【請求項９】
前記遊技盤の前面に装着された前構造体と、該前構造体の表示窓に対応して装着された画像表示手段とを有する中央役物を備え、
前記画像表示手段の前下側で前記前構造体に前記ステージを設けた                    ことを特徴とする請求項１〜８の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の遊技領域の略中央に配置された中央役物に、演出画像を表示する液晶式等の画像表示手段と、画像表示手段の前側に配置され且つ遊技球を適宜転動させながら左右に振り分けて遊技盤の前側へと落下させるステージとを備え、中央役物の下方に特別図柄始動手段を配置したものがある。
【０００３】
ステージには、従来、左右方向に波状又は凹凸状に形成された固定転動部を備えた固定式の他に、固定転動と可動体とを組み合わせた可動式のものがある。可動式のステージには、左右方向に波状に形成された転動部を前後方向に階段状に備え、その前後方向の中間の転動部を左右方向に往復移動させるようにした往復移動式（特許文献１）、転動部の左右中央に形成された隆起部に、上面に周方向に複数個の突起を有し且つ縦軸廻りに回転する回転体を備えた１軸回転式（特許文献２）、上面に凹溝を有し且つ内外に同心状に配置された内外２個の回転体を隆起部に備え、この各回転体を同心状の内外２本の縦軸により駆動するようにした２軸回転式（特許文献３）等がある。
【先行技術文献】
【特許文献】
【０００４】
【特許文献１】特開２００２−３６９９１９号公報
【特許文献２】特開２００５−３３４５０２号公報
【特許文献３】特開２０１０−４６４２６号公報
【発明の概要】
【発明が解決しようとする課題】
【０００５】
可動式のステージは、転動部上の遊技球が可動体と接触することにより、遊技球の挙動を積極的に不規則に変化させるため、遊技球の挙動に対する遊技者の興趣を固定式のステージに比較して喚起できる利点がある。
【０００６】
しかし、従来の可動式ステージは、可動転動部が左右に往復移動したり、回転体が縦軸廻りに回転して、転動部の上面側で遊技球の挙動を変化させる構成であって、遊技球が比較的短時間でステージを通過する構造であるため、間持ちが悪く遊技者の注意を十分に惹き付け得ない欠点がある。
【０００７】
本発明は、このような従来の問題点に鑑み、ステージで遊技球を振り分けて遊技盤の前側に落下させる際の間持ちを良くして、遊技者の興趣をより喚起できるステージを備えた弾球遊技機を提供することを目的とする。
【課題を解決するための手段】
【０００８】
本発明は、遊技盤の前面に入球手段と、球案内通路からの遊技球を前記入球手段に入球し易い第１落下部と入球し難い左右の第２落下部とに振り分けて前記遊技盤の前側に落下させるステージと、を備えた弾球遊技機において、前記ステージは外周に前記球案内通路からの遊技球が衝突する衝突部を有し且つ横軸廻りに前上がり又は後上がりに回転して衝突後の遊技球を前記第１落下部と前記第２落下部との何れかに振り分ける回転体を備え、前記衝突部は周方向に溝状に形成され且つ衝突後の遊技球を前記第１落下部へと案内し易い第１衝突部と、周方向に突状に形成され且つ衝突後の遊技球を前記第２落下部へと案内し易い第２衝突部とを外周に周方向に備えたものである
【０００９】
前記第１衝突部と前記第１落下部とを前後方向に備え、前記第１落下部の左右両側に前記第２落下部を備え、前記回転体は遊技球を前記第１落下部へと前後方向に案内し易い第１衝突部と前記第２落下部へと左右方向に案内し易い第２衝突部とを外周に有するものでも良い。前記第１衝突部は凹部と該凹部の左右両側の突条とを有し、前記第２衝突部は左右略中央に突条を有するものでも良い。
【００１０】
前記第１衝突部及び前記第２衝突部の左右両側に、遊技球を前記第２落下部へと案内する案内部を備えたものでも良い。前記第１落下部は前記回転体の前側の転動部上に配置された上落下部と、前記転動部の下側に配置された下落下部とを有し、前記第１衝突部の後側に球入口を有し且つ該球入口からの遊技球を前記下落下部へと案内する通路を備えたものでも良い。
【００１１】
遊技球を左右に転動させながら左右に振り分ける第１転動部と第２転動部と第３転動部とを奥から前へと前後方向の階段状に備え、前記第１転動部に前記球案内通路からの遊技球を前記回転体の前記衝突部上に落下させる第３落下部を、前記第２転動部に前記回転体を、前記第３転動部に前記第１落下部及び前記第２落下部を夫々備えたものでも良い。
【００１２】
前記第２転動部の横長状の開口部内に、少なくとも回転時に前記第１衝突部及び第２衝突部が前記開口部上に順次突出し且つ前記第２転動部上に遊技球が滞留しないように横長状の前記回転体を配置し、該回転体を駆動する駆動手段を前記第１転動部の下側に設けたものでも良い。
【００１３】
前記回転体は回転方向に二分割され且つ着脱自在に結合された一対の分割体を備え、一方の該分割体に前記第１衝突部を、他方の該分割体に第２衝突部を夫々備えたものでも良い。前記遊技盤の前面に装着された前構造体と、該前構造体の表示窓に対応して装着された画像表示手段とを有する中央役物を備え、前記画像表示手段の前下側で前記前構造体に前記ステージを設けたものでも良い。
【発明の効果】
【００１４】
本発明によれば、ステージで遊技球を振り分けて遊技盤の前側に落下させる際の間持ちを良くして、遊技者の興趣をより喚起できる利点がある。
【図面の簡単な説明】
【００１５】
【図１】本発明の第１の実施形態を示すパチンコ機の正面図である。
【図２】同ステージの正面図である。
【図３】同ステージの平面断面図である。
【図４】同ステージの側面断面図である。
【図５】同要部の正面断面図である。
【図６】同要部の側面断面図である。
【図７】同要部の一部破断平面図である。
【図８】同ステージの分解斜視図である。
【図９】同（Ａ）（Ｂ）は回転体の分割体の斜視図である。
【図１０】同動作説明図である。
【図１１】同動作説明図である。
【図１２】本発明の第２の実施形態を示すステージの斜視図である。
【図１３】同要部の正面断面図である。
【図１４】同本発明の第３の実施形態を示すステージの平面図である。
【図１５】同正面断面図である。
【図１６】同本発明の第４の実施形態を示すステージの平面図である。
【図１７】同側面断面図である。
【発明を実施するための形態】
【００１６】
以下、本発明の第１の実施形態を図面に基づいて詳述する。図１〜図１１は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側に配置された上下一対のヒンジ６により縦軸廻りに開閉自在に枢支されている。
【００１７】
前面板５の前側には発射用の遊技球を貯留する球供給皿７が配置され、その側方に遊技球を発射する発射手段の発射ハンドル８が設けられている。ガラス扉４はその透視窓１０を塞ぐ前後２枚のガラス板１１（図３、図４参照）を有し、このガラス扉４の裏側に、ガラス扉４に対応するように前枠３に遊技盤１２が着脱自在に装着されている。
【００１８】
遊技盤１２の前面には、発射手段から発射された遊技球を誘導するガイドレール１３と、略円弧状の内周面を有する外周飾り部材１４とが周方向に装着され、そのガイドレール１３と外周飾り部材１４との内側が略円形状の遊技領域１５となっている。
【００１９】
遊技領域１５には中央役物１８、普通図柄始動手段１９、第１特別図柄始動手段２０、第２特別図柄始動手段２１、大当たり用の開閉入賞手段２２、普通入賞手段２３、普通図柄表示手段２４、第１特別図柄表示手段２５、第２特別図柄表示手段２６、装飾体等の各種の遊技部品が配置されている。
【００２０】
中央役物１８は遊技領域１５の左右方向の略中央に配置されており、この中央役物１８の上端側の左右中央より左側が左打ち通路２８となり、右側が右打ち通路２９となっている。従って、遊技領域１５の上部に打ち込まれた遊技球は、左打ち通路２８、右打ち通路２９の何れかの流下通路を経て順次流下する。
【００２１】
中央役物１８は、図２〜図４に示すように、遊技盤１２の前側に装着された前構造体３２Ａと、遊技盤１２の裏側に装着された裏構造体３２Ｂと、前構造体３２Ａの表示窓３２ａに対応して遊技盤１２の裏側で裏構造体３２Ｂに装着された液晶式その他の画像表示手段３３と、画像表示手段３３の前側で前構造体３２Ａに装着されたステージ３４とを有する。
【００２２】
中央役物１８の下側の左右略中央には、この中央役物１８と最下部のアウト球口３５との間に第１特別図柄始動手段２０と第２特別図柄始動手段２１とが上下方向に配置されている。そして、中央役物１８の左下側には左打ち通路２８を置いて複数個の普通入賞手段２３が配置され、また右下側には普通図柄始動手段１９、開閉入賞手段２２、普通入賞手段２３等が配置されている。
【００２３】
前構造体３２Ａは左打ち通路２８側に開口する球誘導口３６と、この球誘導口３６からの遊技球をステージ３４へと案内する球案内通路３７とを有し、球誘導口３６、球案内通路３７を経てステージ３４へと誘導された遊技球を、そのステージ３４で左右に振り分けて第１特別図柄始動手段２０の上方から遊技盤１２の前側へと落下させるようになっている。また前構造体３２Ａにはその前面等の適当箇所に普通図柄表示手段２４、第１特別図柄表示手段２５、第２特別図柄表示手段２６が装着されている。
【００２４】
普通図柄表示手段２４は普通図柄を変動表示するためのもので、複数種類の普通図柄（例えば２種類の「○」「×」）に対応する複数個の発光素子により構成されており、普通図柄始動手段１９が遊技球を検出することを条件に２個の発光素子が交互に点灯するように所定時間点滅して、普通図柄始動手段１９の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２５】
第１特別図柄表示手段２５、第２特別図柄表示手段２６は発光部位の変化等で第１特別図柄、第２特別図柄を変動表示可能なセグメント式等の表示手段により構成されており、第１特別図柄表示手段２５は第１特別図柄始動手段２０が、第２特別図柄表示手段２６は第２特別図柄始動手段２１が夫々遊技球を検出することを条件に、第１特別図柄、第２特別図柄が所定時間変動して、第１特別図柄始動手段２０、第２特別図柄始動手段２１の遊技球の検出時に抽選された乱数値が予め定められた大当たり判定値と一致した場合に所定の大当たり態様で、それ以外の場合に外れ態様で停止するようになっている。
【００２６】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２６の図柄変動が優先する。更に高確率状態中は第１特別図柄、第２特別図柄の変動時間も短縮される。
【００２７】
画像表示手段３３は第１特別図柄表示手段２５、第２特別図柄表示手段２６に対応する演出図柄表示手段４０を構成するもので、第１特別図柄、第２特別図柄の変動時にその図柄変動に同期して変動する１個又は複数個、例えば３個の演出図柄４０ａ〜４０ｃを変動表示する。演出図柄４０ａ〜４０ｃは第１特別図柄始動手段２０、第２特別図柄始動手段２１の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段４０は第１特別図柄表示手段２５、第２特別図柄表示手段２６に対応して別々に設けてもよい。
【００２８】
演出図柄４０ａ〜４０ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００２９】
例えば、演出図柄４０ａ〜４０ｃには０〜９までの数字図柄が使用されており、特別図柄が大当たり態様で停止する場合には演出図柄４０ａ〜４０ｃは「７・７・７」等の大当たり演出態様で停止し、特別図柄が外れ態様で停止する場合には演出図柄４０ａ〜４０ｃは「２・４・５」等の外れ演出態様で停止する。
【００３０】
第１特別図柄始動手段２０は非開閉式であって、画像表示手段３３の下側に配置されており、この第１特別図柄始動手段２０は右打ち通路２９に比較して左打ち通路２８を経て落下する遊技球が入賞し易くなっている。
【００３１】
第２特別図柄始動手段２１は開閉式であって、左右一対の開閉部材２１ａを備えた電動チューリップ式入賞手段等により構成され、普通図柄表示手段２４の変動後の普通図柄が当たり態様で停止した場合に所定の開放パターンで開放するようになっている。
【００３２】
第２特別図柄始動手段２１の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３３】
開閉入賞手段２２は変動後の第１特別図柄、第２特別図柄が大当たり態様で停止した場合に発生する大当たり状態中に所定の開放パターンで開閉するもので、この開閉入賞手段２２に遊技球が入賞したときには、他の普通入賞手段２３等への入賞よりも多くの賞球が払い出されるようになっている。この開閉入賞手段２２は上向きに開口する大入賞口２２ａと、前後方向に出退して大入賞口２２ａを開閉する開閉板２２ｂとを有する。
【００３４】
なお、開閉入賞手段２２の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３５】
普通図柄始動手段１９は遊技球の検出を条件に普通図柄表示手段２４の普通図柄を変動させるためのもので、右打ち通路２９を経て流下する遊技球の通過を検出するようになっている。
【００３６】
ステージ３４は図２〜図９に示すように構成されている。ステージ３４は球案内通路３７からの遊技球を左右方向に転動させながら、第１落下部３８と第２落下部３９との何れかに振り分けて、その落下部３８，３９から遊技盤１２の前側に落下させるためのもので、画像表示手段３３の前下側で前構造体３２Ａに設けられている。第１落下部３８は第１特別図柄始動手段２０に入賞し易い位置に遊技球を落下させるためのもので、この第１落下部３８には第１特別図柄始動手段２０の略直上で上下に配置された上落下部３８ａと下落下部３８ｂとがある。第２落下部３９は第１特別図柄始動手段２０に入賞し難い位置に遊技球を落下させるためのもので、第１特別図柄始動手段２０の略直上から左右に外れて第１落下部３８の左右両側に配置されている。
【００３７】
ステージ３４は、図２〜図９に示すように、前構造体３２Ａに設けられたステージ枠４１を備え、このステージ枠４１上に第１転動部４２〜第３転動部４４が前後方向の階段状に設けられている。第１転動部４２は画像表示手段３３の前側近傍に配置され、この第１転動部４２から前側へと順次低くなるように第２転動部４３と第３転動部４４とが階段状に配置されている。
【００３８】
ステージ枠４１の前端には、遊技盤１２に前側から当接する前飾り板４５ａが当接され、またステージ３４の後端には、画像表示手段３３への遊技球の衝突を阻止する阻止板４５ｂが第１転動部４２の後端に沿って左右方向の略全長に設けられている。なお、ステージ枠４１は前構造体３２Ａに装着してユニットとし、前構造体３２Ａを介して遊技盤１２に装着してもよいし、前構造体３２Ａから分離して、前構造体３２Ａとは別に遊技盤１２に装着するようにしてもよい。
【００３９】
各転動部４２〜４４は共に左右方向の中央部分が低くなる形状であって、その中央部分で遊技球を振り分けるようになっている。第１転動部４２は左右両側に配置された傾斜部４２ａと、左右方向の略中央に配置された奥落下部（第３落下部）４２ｂと、この奥落下部４２ｂの左右両側に配置された隆起部４２ｃと、この隆起部４２ｃと傾斜部４２ａとの間に配置された左右の奥落下部４２ｄとを有し、球案内通路３７から一方の傾斜部４２ａを経て左右方向に転動する遊技球を、その慣性力に応じて何れかの奥落下部４２ｂ，４２ｄに振り分けて、その奥落下部４２ｂ，４２ｄから前側へと落下させるようになっている。
【００４０】
第２転動部４３、第３転動部４４は第１転動部４２の左右の傾斜部４２ａの略前側に配置された共通の傾斜部４３ａを有する。第２転動部４３は第１転動部４２の奥落下部４２ｂに対応して左右方向の略中央に配置された回転体４６と、第１転動部４２の奥落下部４２ｄに対応して回転体４６の左右両側に配置された凸状の隆起部４３ｂと、回転体４６と隆起部４３ｂとの間に配置された凹状の中落下部４３ｃと、隆起部４３ｂと傾斜部４３ａとの間に配置された凹状の案内部４３ｄとを有する。回転体４６は第１転動部４２からの遊技球をその前後と中落下部４３ｃの何れかに振り分けるようになっている。
【００４１】
第３転動部４４は回転体４６の左右方向の略中央に対応して配置された凹状の入賞用の上落下部３８ａと、各傾斜部４３ａの中央側に連続して配置された凹状の第２落下部３９と、第１落下部３８と第２落下部３９との間に配置され且つ第２落下部３９側へと傾斜状に形成された凸状の隆起部４４ａとを有し、第２転動部４３からの遊技球を第１落下部３８、第２落下部３９の何れかに振り分けるようになっている。
【００４２】
第１落下部３８の上落下部３８ａ、第２落下部３９の前端は前飾り板４５ａの上端縁側に位置している。第１落下部３８の下落下部３８ｂは前飾り板４５ａの前面に開口状に形成されており、第２転動部４３、第３転動部４４の下側に形成された連通路４７を介して、第１転動部４２の奥落下部４２ｂの下で回転体４６の後側に開口する球入口４８に連通され、この球入口４８に入った遊技球を連通路４７を経て遊技盤１２の前側に落下させるようになっている。球入口４８は上落下部３８ａと前後に相対応しており、回転体４６と対向して第２転動部４３の後側の後壁４９に形成されている。連通路４７は下カバー５０上に前後方向に形成され、また下カバー５０は回転体４６等を下側から覆うようにステージ枠４１の下側に装着されている。
【００４３】
回転体４６は図５〜図９に示すように左右方向に長い横長状であって、第１転動部４２の前端よりも前側に離れた位置で開口部５１内に横軸廻りに回転自在に配置され、駆動手段５２の駆動により増速機構５３、駆動軸６３を介してａ矢示方向に回転する。開口部５１は第２転動部４３の左右の中落下部４３ｃ間に、前側の第３転動部４４と連続状に形成されている。
【００４４】
回転体４６は回転方向に二分割された半割状の分割体５４，５５を着脱自在に結合して構成されている。この回転体４６の左右方向の略中央部には、奥落下部４２ｂから落下する遊技球を振り分けるための第１衝突部５６と第２衝突部５７とが前後方向の略同一面上に位置する奥落下部４２ｂ、上落下部３８ａ及び球入口４８に対応して回転方向に設けられ、その第１衝突部５６、第２衝突部５７の左右両側に、遊技球を中落下部４３ｃへと案内する案内部５８，５９が設けられている。案内部５８，５９は両端側へと細くなるように急テーパー部５８ａ，５９ａと緩テーパー部５８ｂ，５９ｂとにより構成されている。
【００４５】
第１衝突部５６は奥落下部４２ｂから落下する遊技球を第１落下部３８へと案内し易くするためもので、回転方向に連続する凹部５６ａと、この凹部５６ａの左右両側に形成された回転方向の突条５６ｂとを有し、奥落下部４２ｂから落下する遊技球の衝突位置に応じて前後の何れかに振り分けるようになっている。第１衝突部５６の左右両側には、突条５６ｂの外側の急テーパー部５８ａと、この急テーパー部５８ａの外側の緩テーパー部５８ｂとが設けられている。
【００４６】
なお、凹部５６ａ内には、第１衝突部５６に衝突する遊技球が振り分けられ易い方向を示す矢印、文字等の必要な表示が刻印等により付されている。第１衝突部５６、急テーパー部５８ａ、緩テーパー部５８ｂは、一方の分割体５４の外周に設けられている。第１衝突部５６の突条５６ｂ及び急テーパー部５８ａの回転方向の両端には、第１衝突部５６と第２衝突部５７との接続部分で遊技球を左右方向に容易に排出できるように、回転方向の両側が低くなる傾斜部５６ｃ，５８ｃが設けられている。
【００４７】
第２衝突部５７は奥落下部４２ｂから落下する遊技球を第２落下部３９へと案内し易くし第１落下部３８へは案内し難くするためのもので、第１衝突部５６の凹部５６ａの左右方向の略中央に回転方向に形成された突条５７ａを有し、この突条５７ａに衝突した遊技球を左右の何れかに振り分けるようになっている。第２衝突部５７の左右両側には突条５７ａの外側の急テーパー部５９ａと、この急テーパー部５９ａの外側の緩テーパー部５９ｂとが設けられている。なお、第２衝突部５７、急テーパー部５９ａ、緩テーパー部５９ｂは、他方の分割体５５の外周に設けられている。
【００４８】
第２衝突部５７の突条５７ａは第１衝突部５６の突条５６ｂと略同径か若干大径である。第２衝突部５７の両側の急テーパー部５９ａは、第１衝突部５６の両側の急テーパー部５８ａの左右方向の中間までであり、第１衝突部５６の両側の急テーパー部５８ａに比較して傾斜角度が小さくなっている。
【００４９】
回転体４６の上部側は開口部５１から上方に突出しており、緩テーパー部５８ｂ，５９ｂでも回転体４６と後壁４９との間に遊技球が滞留せず、球入口４８、上落下部３８ａ以外の遊技球の全てを左右の落下部４３ｃ等から第３転動部４４へと案内するようになっている。
【００５０】
両分割体５４，５５の内部には左右両側に結合ボス部５４ａ，５５ａが設けられ、その両結合ボス部５４ａ，５５ａがネジ６０により着脱自在に結合されている。一方の結合ボス部５５ａはネジ挿通孔５５ｂを有し、そのネジ挿通孔５５ｂから挿通されたネジ６０が他方の結合ボス部５４ａのネジ孔５４ｂに螺合している。回転体４６には左右方向の一端に軸部５４ｃが設けられると共に他端に駆動軸６３が連結され、その軸部５４ｃ及び駆動軸６３がブッシュ６１を介してステージ枠４１に横軸心廻りに回転自在に支持されている。各ブッシュ６１はステージ枠４１と、その下側に固定された下カバー５０との間に介在されている。
【００５１】
駆動手段５２は駆動モータにより構成され、ステージ枠４１の下側に装着された支持枠６２の取り付け部６２ａに第１転動部４２の下側に対応して固定されている。駆動軸６３は支持枠６２の取り付け部６２ａに回転自在に挿通されている。増速機構５３は取り付け部６２ａに対して駆動手段５２と反対側に配置され、駆動手段５２側の回転軸に固定された大径の駆動ギヤー５３ａと、この駆動ギヤー５３ａと噛合して駆動軸６３に固定された小径の従動ギヤー５３ｂとを備えている。なお、駆動手段５２の回転速度が早い場合には増速機構５３に代えて減速機構を設けてもよい。また増速機構５３等を介さずに駆動手段５２と駆動軸６３とを連結してもよい。
【００５２】
ゲームに際しては、発射手段の発射ハンドル８を操作して遊技領域１５へと遊技球を発射させる。このとき通常確率状態であれば、遊技者は第１特別図柄始動手段２０に入賞し易い左打ち通路２８に遊技球が集中するように左打ちをする。左打ち通路２８を落下する遊技球が中央役物１８の球誘導口３６に入ると、その遊技球は球案内通路３７を経てステージ３４へと案内されて、このステージ３４で第１転動部４２から第２転動部４３、第３転動部４４を経て第１落下部３８、第２落下部３９の何れかに振り分けられた後、その第１落下部３８、第２落下部３９の何れかから遊技盤１２の前側へと落下する。
【００５３】
第３転動部４４を経て遊技球が遊技盤１２の前側へと落下する場合、その遊技球が第１落下部３８から落下すれば第１特別図柄始動手段２０に入賞し易くなり、また第２落下部３９から落下すれば第１特別図柄始動手段２０に入賞し難くなる。
【００５４】
ステージ３４で振り分けられた後の遊技球が第１落下部３８から落下し、その遊技球が第１特別図柄始動手段２０に入賞すると、第１特別図柄表示手段２５の第１特別図柄、演出図柄表示手段４０の演出図柄４０ａ〜４０ｃが同期して所定時間変動する。そして、第１特別図柄始動手段２０に遊技球が入賞したときの抽選結果が大当たりか否かに応じて、第１特別図柄表示手段２５の変動後の第１特別図柄が大当たり態様又は外れ態様で停止し、演出図柄表示手段４０の演出図柄４０ａ〜４０ｃが大当たり演出態様又は外れ演出態様で停止する。
【００５５】
通常確率状態中でも右打ち通路２９に進入した遊技球が普通図柄始動手段１９に入賞すれば、普通図柄表示手段２４の普通図柄が変動して変動後に当たり態様で停止することもある。しかし、通常確率状態中は第２特別図柄始動手段２１の開放時間が僅かであるため、第２特別図柄始動手段２１に遊技球が入賞する可能性は非常に低い。
【００５６】
第１特別図柄表示手段２５の変動後の第１特別図柄が大当たり態様で停止すれば大当たり状態となり、開閉入賞手段２２が抽選された所定の開閉パターンで所定ラウンド数開閉動作を繰り返すので、遊技者は開閉入賞手段２２に遊技球が入賞し易い右打ち通路２９側に遊技球を集中させるべく右打ちをする。右打ち通路２９に入った遊技球は普通図柄始動手段１９、開閉入賞手段２２、特別図柄始動手段２０，２１等に入賞するか、アウト球口３５側へと流下する。なお、大当たりの場合には、所定の開閉パターンで大入賞口２２ａが開放して、その開放時に多数の遊技球が入賞するため、遊技者は有利にゲームを行うことができる。
【００５７】
普通図柄始動手段１９が遊技球を検出すると、普通図柄表示手段２４の普通図柄が所定時間変動して当たり図柄又は外れ図柄で停止し、当たり図柄のときには第２特別図柄始動手段２１が所定時間開放し、この第２特別図柄始動手段２１に遊技球が入賞し易くなる。そして、第２特別図柄始動手段２１に遊技球が入賞すると、第２特別図柄表示手段２６の第２特別図柄が所定時間変動し、第１特別図柄表示手段２５の第１特別図柄の場合と同様に動作する。
【００５８】
ステージ３４では前後方向に階段状に配置された第１転動部４２〜第３転動部４４の内、その第２転動部４３に回転体４６があり、この回転体４６が駆動手段５２の駆動により横軸心廻りにａ矢示方向に回転するようにしているので、この回転体４６によって遊技球の振り分け時の間持ちが良くなり、ゲームでの遊技球の振り分けに関する遊技者の興趣を向上させることができる。
【００５９】
即ち、球誘導口３６から球案内通路３７を経てステージ３４に誘導された遊技球は、第１転動部４２上を左右方向に転動し、そのときの慣性力に応じて奥落下部４２ｂ，４２ｄの何れかに振り分けられて第２転動部４３へと落下する。左右の奥落下部４２ｄから落下する遊技球は、第２転動部４３、第３転動部４４を経て第２落下部３９から遊技盤１２の前側へと落下し、その遊技球が第１特別図柄始動手段２０に入賞する可能性は低い。
【００６０】
中央の奥落下部４２ｂからの遊技球は、その前下側でａ矢示方向に回転する回転体４６の第１衝突部５６、第２衝突部５７の何れかに衝突する。そして、遊技球が第１衝突部５６上に落下したときには、その遊技球が第１落下部３８に振り分けられる可能性が大となり、また第２衝突部５７上に落下したときには、その遊技球が第２落下部３９に振り分けられる可能性が大となる。
【００６１】
例えば、図１０（Ａ）（Ｂ）に示すように第１衝突部５６が回転体４６の上側を通過する場合に、その頂部近傍から後側を含む範囲で左右の突条５６ｂ間に遊技球が落下すれば、その遊技球は回転体４６の回転力等を受けて第１衝突部５６の両側の突条５６ｂにより後側へとａ矢示方向に案内されて、回転体４６の後側に開口する球入口４８に入り連通路４７を経て下落下部３８ｂへとｃ矢示方向に案内された後、その下落下部３８ｂから下方へとｃ矢示方向に落下する。
【００６２】
また第１衝突部５６の頂部よりも前側で左右の突条５６ｂ間に遊技球が落下すれば、その遊技球は回転体４６の回転とは逆に第１衝突部５６の凹部５６ａの両側の突条５６ｂにより前側へと反ａ矢示方向に案内されて、第３転動部４４上の上落下部３８ａへとｄ矢示方向に案内された後、その上落下部３８ａから下方へとｅ矢示方向に落下する。
【００６３】
奥落下部４２ｂから遊技球が落下する際に左右方向の一方側に振れた場合には、その遊技球が第１衝突部５６の突条５６ｂよりも外側に落下することがある。そのときには遊技球は回転体４６の急テーパー部５８ａに沿って左右方向の外側へとｆ矢示方向に案内され、緩テーパー部５８ｂから第２転動部４３の中落下部４３ｃ、第３転動部４４の第２落下部３９へと案内されて行く。
【００６４】
図１１（Ａ）（Ｂ）に示すように第２衝突部５７が回転体４６の上側を通過する場合に、第２衝突部５７の左右方向の略中央に突条５７ａがあるので、奥落下部４２ｂから落下した遊技球は、回転体４６の回転に関係なく突条５７ａにより左右の何れかに振り分けられる。例えば回転体４６の急テーパー部５９ａ側に振り分けられた遊技球は、急テーパー部５９ａに沿ってｇ矢示方向に移動し、緩テーパー部５９ｂ、第２転動部４３の中落下部４３ｃを経て第３転動部４４の第２落下部３９へと案内されて行く。また突条５７ａの両側の急テーパー部５９ａ上に直接落下した遊技球も、同様に緩テーパー部５９ｂ、第２転動部４３の中落下部４３ｃを経て第３転動部４４の第２落下部３９へと案内されて行く。
【００６５】
なお、第２衝突部５７の突条５７ａの最大径部分に遊技球が落下した場合には、その遊技球は前後の球入口４８、第１落下部３８の何れかへと案内されることがある。しかし、第２衝突部５７の突条５７ａの左右幅は第１衝突部５６の左右幅に比較して小であるため、第２衝突部５７に衝突した遊技球が球入口４８、第１落下部３８の何れかに案内されることは少ないか、又は極稀である。
【００６６】
図１２、図１３は本発明の第２の実施形態を例示する。回転体４６は、第１衝突部５６、第２衝突部５７の周方向の全周に左右一対の突条５６ｂ、急テーパー部５８ａ、緩テーパー部５８ｂを備え、その第１衝突部５６は左右の突条５６ｂ間を凹部５６ａとし、第２衝突部５７の両突条５６ｂ間には、これらよりも径方向の外方に突出する突条５７ａが設けられている。他の構成は第１の実施形態と同様である。
【００６７】
このようにすれば、第１衝突部５６は第１の実施形態と同様に遊技球を振り分けることができ、また第２衝突部５７では突条５７ａに衝突した遊技球が左右何れかに移動すると、その遊技球を突条５６ｂ、急テーパー部５８ａを経て左右の落下部３９へと案内することができる。この場合には、第１衝突部５６側及び第２衝突部５７側の突条５６ｂ、急テーパー部５８ａを同じ形状にできるので、金型の構造を簡単にできる。
【００６８】
図１４、図１５は本発明の第３の実施形態を例示する。回転体４６の左右方向の長さは左右の突条５６ｂの両側までの長さであり、この回転体４６の左右両側の第２転動部４３には、回転体４６側から落下部４３ｃに向かって傾斜する傾斜面４３ｅが設けられている。
【００６９】
このように第２転動部４３側に傾斜面４３ｅを設けることにより、回転体４６の左右のテーパー部５８ａ，５８ｂ，５９ａ，５９ｂを省略することも可能であり、回転体４６の小型化を図ることができる。
【００７０】
図１６、図１７は本発明の第４の実施形態を例示する。このステージ３４の転動部６５には、球案内通路３７に連通する傾斜通路６６と、この傾斜通路６６の下流側に対応してその前側に配置された回転体４６と、この回転体４６の前側に配置された第１落下部３８と、回転体４６の前側で第１落下部３８の左右両側に配置された第２落下部３９とを有する。
【００７１】
回転体４６は第１衝突部５６と第２衝突部５７とを外周の周方向に備え、球案内通路３７側からの遊技球が第１衝突部５６に衝突した場合に、その遊技球が第１衝突部５６を乗り越える程度に転動部６５上に突出して配置されている。遊技球が第１衝突部５６に衝突した場合に、その遊技球は第１衝突部５６を乗り越えて第１落下部３８へと振り分けられ、また遊技球が第２衝突部５７に衝突した場合には、その遊技球は第２衝突部５７により左右何れかの第２落下部３９へと振り分けられる。
【００７２】
このように回転体４６は傾斜通路６６上を転がる遊技球が衝突部５６，５７に衝突するように構成して、その衝突部５６，５７により各落下部３８，３９へと遊技球を振り分けるようにしてもよい。従って、回転体４６の衝突部５６，５７に衝突する遊技球は、第３落下部４２ｂから落下する遊技球に限定されるものではない。またこの実施形態の場合にも各実施形態と同様に回転体４６は横軸廻りに回転するが、各実施形態で云う横軸は縦軸に対比される概念であって、左右方向の軸廻りに回転する場合は勿論のこと、前後方向の軸廻りに回転する場合も含むものである。
【００７３】
以上、本発明の各実施形態について詳述したが、本発明はこの各実施形態に限定されるものではなく、本発明の趣旨を逸脱しない範囲で種々の変更が可能である。例えば各実施形態では、第１転動部４２〜第３転動部４４を備えたステージ３４を例示しているが、球案内通路３７からの遊技球を回転体４６へと落下させる第３落下部４２ｂは、第１転動部４２以外の部分に設けて、前後２個の転動部４３，４４としてもよい。
【００７４】
また第１落下部３８の下方の入球手段として第１特別図柄始動手段２０を例示し、第１落下部３８から落下する遊技球は第１特別図柄始動手段２０に入賞し易くし、第２落下部３９から落下する遊技球は第１特別図柄始動手段２０に入賞し難くしているが、ステージ３４の下方に第１特別図柄始動手段２０以外の図柄始動手段、入賞手段等を配置してもよいし、入賞手段以外のもの、例えば遊技球が入って通過するものでもよい。従って、ステージ３４の下方には少なくとも入球手段があれば十分である。
【００７５】
第１衝突部５６は遊技球を第１落下部３８へと案内するためのものとし、第２衝突部５７は遊技球を第２落下部３９へと案内するためのものとしてもよい。また回転体４６は奥落下部４２ｂからの遊技球を前後、左右の何れかに振り分けるように構成し、前後方向に振り分けられた遊技球を第１落下部３８に、左右方向に振り分けられた遊技球を第２落下部３９に夫々案内するようにしてもよい。従って、その場合には、回転体４６は必ずしも転動部４３に配置する必要はない。
【００７６】
また第１衝突部５６は遊技球を前後方向に振り分け易い構造であり、第２衝突部５７は遊技球を左右に振り分け易い構造であれば良く、実施形態に例示の構造に限定されるものではない。例えば、第１衝突部５６の左右の突条５６ｂ、第２衝突部５７の突条５７ａに代えて周方向に所定間隔を置いて複数個の突部を設けてもよい。
【００７７】
回転体４６の外周の第１衝突部５６、第２衝突部５７は回転方向に略半分ずつ設けているが、回転方向に２以上を交互に設けてもよいし、３種類以上の衝突部を設けてもよい。回転体４６は実施形態では前上がりに回転するようにしているが、後上がりに回転するようにしてもよい。また第１落下部３８には上落下部３８ａと下落下部３８ｂとがあるが、何れか一方のみでもよい。
【００７８】
回転体４６はパチンコ機の稼働中、常時回転するようにしてもよいし、遊技者が発射ハンドル８を保持する等、遊技状態にあるときに回転するようにしてもよい。球誘導口３６の遊技球の通過を検出する検出手段を設け、この検出手段が遊技球を検出したときに回転体４６が回転するようにしてもよい。また回転と停止とを繰り返し、また早い速度での回転と遅い速度での回転とを繰り返す等、回転体４６の回転状況を間欠的に制御するようにしてもよい。
【００７９】
その他、球案内通路３７に球誘導口３６に代えて、開閉羽根等の開閉部材により開閉される入賞口を設け、ステージ３４の下方に特定領域用の入球手段を設けておき、入賞口から入賞した遊技球を球案内通路３７を経て回転体４６へと案内し、その回転体４６の回転によって衝突部５６，５７により第１落下部３８、第２落下部３９の何れかに振り分けて、第１落下部３８から落下する遊技球が特定領域用の入球手段に入球したときに、遊技者に有利な利益状態が発生するようにしてもよい。
【００８０】
回転体４６は回転方向に二分割された一対の分割体５４，５５を着脱自在に結合し、その一方の分割体５４に第１衝突部５６を、他方の分割体５５に第２衝突部５７を夫々設けているが、三分割以上の分割体により構成してもよいし、その第１衝突部５６、第２衝突部５７は複数の分割体５４，５５に跨がって設けてもよい。また回転体４６は回転方向の全周が一体でもよいし、複数個の分割体５４，５５により構成する場合にも、左右方向に分割してもよい。
【００８１】
また右打ち、左打ちタイプ以外のパチンコ機でも同様に実施できる。更に本発明はパチンコ機の他、アレンジボール機、その他の各種の弾球遊技機においても同様に実施可能であることは云うまでもない。
【符号の説明】
【００８２】
１２  遊技盤
１８  中央役物
２０  第１特別図柄始動手段（入賞手段）
２１  第２特別図柄始動手段
３２Ａ  前構造体
３２ａ  表示窓
３３  画像表示手段
３４  ステージ
３７  球案内通路
３８  第１落下部
３８ａ  上落下部
３８ｂ  下落下部
３９  第２落下部
４２  第１転動部
４２ｂ  奥落下部
４３  第２転動部
４４  第３転動部
４６  回転体
４７  連通路
４８  球入口
５１  開口部
５２  駆動手段
５４，５５  分割体
５６  第１衝突部
５７  第２衝突部
５６ｂ，５７ａ  突条
５８，５９  案内部
【図１】
0005739170.tif 000002
【図２】
0005739170.tif 000003
【図３】
0005739170.tif 000004
【図４】
0005739170.tif 000005
【図５】
0005739170.tif 000006
【図６】
0005739170.tif 000007
【図７】
0005739170.tif 000008
【図８】
0005739170.tif 000009
【図９】
0005739170.tif 000010
【図１０】
0005739170.tif 000011
【図１１】
0005739170.tif 000012
【図１２】
0005739170.tif 000013
【図１３】
0005739170.tif 000014
【図１４】
0005739170.tif 000015
【図１５】
0005739170.tif 000016
【図１６】
0005739170.tif 000017
【図１７】
0005739170.tif 000018